(57)【要約】【課題】  渦電流損を抑制し、歩留りをよくする。【解決手段】  ステータのヨーク部の製造方法は、ティース部の外形と対応した外形を有する治具を準備するステップ（Ｓ１０）と、方向性電磁鋼板を、ティース部の隣合う櫛歯の間隔と対応した長さで切断するステップ（Ｓ１１）と、準備された治具に沿って、切断された方向性電磁鋼板を径方向に積層するステップ（Ｓ１２）と、積層された方向性電磁鋼板を加熱して、熱可塑性の接着剤により積層された方向性電磁鋼板同士を接着するステップ（Ｓ５０）とを含む。【選択図】        図５
2005184925.tif 000002
【特許請求の範囲】
【請求項１】
径方向外方に突出した複数の櫛歯を外周部に有するティース部と、前記ティース部よりも径方向の外側に位置するヨーク部とを、分割して製造するステータの製造方法であって、
前記ティース部を形成するティース部形成ステップと、
前記ティース部の隣合う櫛歯の間隔と対応した長さで、帯状の鋼板を切断する切断ステップと、
前記切断された鋼板を径方向に積層する積層ステップと、
前記切断ステップおよび前記積層ステップとを、前記複数の櫛歯の間の数だけ繰返して行なうステップと、
積層された鋼板同士を固定して前記ヨーク部を形成するヨーク部形成ステップと、
前記ティース部と前記ヨーク部とを接合する接合ステップとを含む、ステータの製造方法。
【請求項２】
前記ステータの製造方法は、前記ティース部の櫛歯の位置および外形と対応した外形を有する治具を準備するステップをさらに含み、
前記積層ステップは、前記治具の外形に沿って、切断された鋼板を径方向に積層するステップを含む、請求項１に記載のステータの製造方法。
【請求項３】
前記ステータの製造方法は、積層された鋼板を保持する保持ステップをさらに含む、請求項１または２に記載のステータの製造方法。
【請求項４】
前記ヨーク部形成ステップは、
前記積層された鋼板の間に接着材を介在させるステップと、
接着材が介在した前記鋼板を加熱して、鋼板同士を接着する接着ステップとを含み、
前記接合ステップは、前記接着ステップにおける加熱により前記ヨーク部が膨張している状態で、前記ヨーク部に前記ティース部を挿入して接合するステップを含む、請求項１または２に記載のステータの製造方法。
【請求項５】
前記積層ステップは、切断された鋼板を、平面状に維持させた状態で、径方向に積層するステップを含む、請求項１または２に記載のステータの製造方法。
【請求項６】
前記ヨーク部および前記ティース部には、方向性電磁鋼板が用いられ、
前記ティース部形成ステップは、前記方向性電磁鋼板の磁化容易方向が径方向に向くように、前記ティース部を形成するステップを含み、
前記切断ステップは、前記方向性電磁鋼板を切断するステップを含み、
前記積層ステップは、前記方向性電磁鋼板の磁化容易方向が、周方向に向くように、切断された方向性電磁鋼板を積層するステップを含み、
ヨーク部形成ステップは、積層された方向性電磁鋼板同士を固定して前記ヨーク部を形成するステップを含む、請求項１または２に記載のステータの製造方法。
【請求項７】
ステータの製造方法により製造されるステータを有する回転電機には、前記ティース部よりも半径方向の内側に、ロータが設けられ、前記ティース部は、鋼板から打抜かれたティース形状体を軸方向に積層して形成され、前記ロータは、鋼板から打抜かれたロータ形状体を軸方向に積層して形成され、
前記ティース部形成ステップは、
鋼板から前記ティース形状体を打抜くとともに、前記ティース形状体よりも半径方向の内側から前記ロータ形状体を打抜くステップと、
打抜かれたティース形状体を軸方向に積層するステップとを含む、請求項１または２に記載のステータの製造方法。
【請求項８】
請求項１ないし７のいずれかに記載のステータの製造方法により製造されたステータを有する回転電機。
【請求項９】
径方向外方に突出した複数の櫛歯を外周部に有するティース部と、前記ティース部よりも径方向の外側に位置するヨーク部とを、分割して製造するステータの製造装置であって、
前記ティース部を形成するためのティース部形成手段と、
前記ティース部の隣合う櫛歯の間隔と対応した長さで、帯状の鋼板を切断するための切断手段と、
前記切断された鋼板を径方向に積層するための積層手段と、
積層された鋼板同士を固定して前記ヨーク部を形成するためのヨーク部形成手段と、
前記ティース部と前記ヨーク部とを接合するための接合手段とを含む、ステータの製造装置。
【請求項１０】
前記ステータの製造装置は、前記ティース部の櫛歯の位置および外形と対応した外形を有する治具をさらに含み、
前記積層手段は、前記治具の外形に沿って、切断された鋼板を径方向に積層するための手段を含む、請求項９に記載のステータの製造装置。
【請求項１１】
前記ステータの製造装置は、積層された鋼板を保持するための保持手段をさらに含む、請求項９または１０に記載のステータの製造装置。
【請求項１２】
前記ヨーク部形成手段は、
前記積層された鋼板の間に接着材を介在させる手段と、
接着材が介在した前記鋼板を加熱して、鋼板同士を接着するための接着手段とを含み、
前記接合手段は、前記接着手段における加熱により前記ヨーク部が膨張している状態で、前記ヨーク部に前記ティース部を挿入して接合するための手段を含む、請求項９または１０に記載のステータの製造装置。
【請求項１３】
前記積層手段は、切断された鋼板を、平面状に維持させた状態で、径方向に積層するための手段を含む、請求項９または１０に記載のステータの製造装置。
【請求項１４】
前記ヨーク部および前記ティース部には、方向性電磁鋼板が用いられ、
前記ティース部形成手段は、前記方向性電磁鋼板の磁化容易方向が径方向に向くように、前記ティース部を形成するための手段を含み、
前記切断手段は、前記方向性電磁鋼板を切断するための手段を含み、
前記積層手段は、前記方向性電磁鋼板の磁化容易方向が、周方向に向くように、切断された方向性電磁鋼板を積層するための手段を含み、
ヨーク部形成手段は、積層された方向性電磁鋼板同士を固定して前記ヨーク部を形成するための手段を含む、請求項９または１０に記載のステータの製造装置。
【請求項１５】
前記ステータの製造装置により製造されるステータの有する回転電機には、前記ティース部よりも半径方向の内側に、ロータが設けられ、前記ティース部は、鋼板から打抜かれたティース形状体を軸方向に積層して形成され、前記ロータは、鋼板から打抜かれたロータ形状体を軸方向に積層して形成され、
前記ティース部形成手段は、
鋼板から前記ティース形状体を打抜くとともに、前記ティース形状体よりも半径方向の内側から前記ロータ形状体を打抜く手段と、
打抜かれたティース形状体を軸方向に積層するための手段とを含む、請求項９または１０に記載のステータの製造装置。
【発明の詳細な説明】
【技術分野】
【０００１】
本発明は、ステータの製造方法、その方法により製造されたステータを有する回転電機およびステータの製造装置に関し、特に、分割して形成されティース部とヨーク部とを有するステータの製造方法、その方法により製造されたステータを有する回転電機およびステータの製造装置に関する。
【背景技術】
【０００２】
従来より、コイル巻着工程の作業性向上の観点から、ステータコアのヨーク部とティース部とを、分割して製造し、ティース部の外周にヨーク部を嵌合してステータコアを構成する技術が知られている。
【０００３】
特開昭６０−２０３８号公報（特許文献１）は、コイル巻線の作業性を向上することができるステータコアを開示する。特許文献１に記載のステータコアは、外周面に開口させたスロットを有するティース部と、このティース部の外周のスロットにコイルを挿入した後、磁性薄板を巻重ねて形成したヨーク部とを含む。ティース部の櫛歯の先端部は、ヨーク部の内周面に対して、接線方向に垂直に当接している。
【０００４】
この公報に記載のステータコアによれば、ティース部の外周面に開口させたスロットを設けたので、スロットを内周面に設ける場合と比べて、開口幅を広くとることができるので、コイルの巻着が容易であり、作業性を向上させることができる。
【特許文献１】特開昭６０−２０３８号公報
【発明の開示】
【発明が解決しようとする課題】
【０００５】
しかしながら、上述の公報に開示された発明においては、ティース部の櫛歯の先端部が、ヨーク部の内周面に垂直に当接しているため、ティース部からヨーク部に流れる磁束による渦電流損（鉄損）が大きいという問題点がある。これについて図１２を参照して詳細に説明する。ティース部の櫛歯２０の先端がヨーク部１０の内周面に垂直に当接している場合、ティース部（櫛歯２０）を流れる磁束は、図１２（Ａ）に示すようにヨーク部１０の内周面に垂直に流入する。磁束がヨーク部１０に流入すると、図１２（Ｂ）に示すように、ヨーク部１０の内周面には、右ねじの法則に従って、磁束の進行方向に対して右回りに渦電流が発生する。この渦電流により消費される電力値をＷ、渦電流の電圧値をＶ、ヨーク部１０の渦電流に対する電気抵抗値をＲとすると、Ｗ＝Ｖ２／Ｒとなる。このとき、渦電流は、ヨーク部１０の内周面上で流れるが、面であるため渦電流が流れやすく、電気抵抗値Ｒが小さい。したがって、渦電流損（鉄損）が大きい。
【０００６】
本発明は、上述の課題を解決するためになされたものであって、その目的は、鉄損を抑制でき、かつ歩留りがよいステータの製造方法、その方法により製造されたステータを有する回転電機およびステータの製造装置を提供することである。また、本発明の目的は、製造工程を簡略化し、生産性を向上できるステータの製造方法、その方法により製造されたステータを有する回転電機およびステータの製造装置を提供することである。
【課題を解決するための手段】
【０００７】
第１の発明に係るステータの製造方法には、径方向外方に突出した複数の櫛歯を外周部に有するティース部と、ティース部よりも径方向の外側に位置するヨーク部とを、分割して製造する方法である。この製造方法は、ティース部を形成するティース部形成ステップと、ティース部の隣合う櫛歯の間隔と対応した長さで、帯状の鋼板を切断する切断ステップと、切断された鋼板を径方向に積層する積層ステップと、切断ステップおよび積層ステップとを、複数の櫛歯の間の数だけ繰返して行なうステップと、積層された鋼板同士を固定してヨーク部を形成するヨーク部形成ステップと、ティース部とヨーク部とを接合する接合ステップとを含む。
【０００８】
第１の発明によると、ティース部形成ステップにて、ティース部が形成される。切断ステップにて、ティース部の隣合う櫛歯の間隔と対応した長さで、帯状の鋼板が切断され、積層ステップにて、切断された鋼板が径方向に積層される。切断ステップおよび積層ステップは、複数の櫛歯の間の数だけ繰返して行なわれる。ヨーク部形成ステップにて、積層された鋼板同士が固定されてヨーク部が形成され、接合ステップにて、ティース部とヨーク部とが接合される。ティース部の隣合う櫛歯間の間隔と対応した長さで、帯状の鋼板が切断されて、切断された鋼板が径方向に積層してヨーク部が形成されるので、ヨーク部の形状は、櫛歯の外形と対応した形状を有する。これにより、ヨーク部は、櫛歯の外端部に対して周方向から当接する連結部が形成された状態で形成される。この連結部において、ヨーク部が櫛歯に周方向から当接することにより、櫛歯を径方向に流れてきた磁束が、ヨーク部の周方向に流入しやすくなる。そのため、櫛歯を径方向に流れてきた磁束が、ヨーク部の内周面に垂直に流入することが抑制され、渦電流損が抑制される。また、ヨーク部は、連結部を有した状態で形成されるため、連結部を形成するために、別途ヨーク部の一部を切除する必要がない。その結果、鉄損を抑制でき、かつ歩留りがよいステータの製造方法を提供することができる。
【０００９】
第２の発明に係るステータの製造方法は、第１の発明の構成に加え、ティース部の櫛歯の位置および外形と対応した外形を有する治具を準備するステップをさらに含む。積層ステップは、治具の外形に沿って、切断された鋼板を径方向に積層するステップを含む。
【００１０】
第２の発明によると、ティース部の櫛歯の位置および外形と対応した外形を有する治具が準備され、この治具の外形に沿って、切断された鋼板が径方向に積層される。これにより、治具を用いて精度よく鋼板を積層し、整った形状のヨーク部を形成できる。
【００１１】
第３の発明に係るステータの製造方法は、第１または第２の発明の構成に加え、積層された鋼板を保持する保持ステップをさらに含む。
【００１２】
第３の発明によると、保持ステップにて、積層された鋼板が保持される。これにより、積層された鋼板がばらけることを防止できる。
【００１３】
第４の発明に係るステータの製造方法においては、第１または第２の発明の構成に加え、ヨーク部形成ステップは、積層された鋼板の間に接着材を介在させるステップと、接着材が介在した鋼板を加熱して、鋼板同士を接着する接着ステップとを含む。接合ステップは、接着ステップにおける加熱によりヨーク部が膨張している状態で、ヨーク部にティース部を挿入して接合するステップを含む。
【００１４】
第４の発明によると、積層された鋼板の間に接着材が介在させられ、接着ステップにて、接着材が介在した鋼板が加熱され、鋼板同士が接着される。この接着ステップにおける加熱によりヨーク部が膨張している状態で、ヨーク部にティース部が挿入されて接合される。これにより、鋼板同士を接着して固定することができるとともに、接着の際の加熱による余熱を利用して、ヨーク部とティース部とを焼き嵌めすることができる。その結果、ヨーク部とティース部とを密着させて強固に接合し、ヨーク部とティース部との間を通過する磁束の損失を抑制することができる。
【００１５】
第５の発明に係るステータの製造方法においては、第１または２の発明の構成に加え、積層ステップは、切断された鋼板を、平面状に維持させた状態で、径方向に積層するステップを含む。
【００１６】
第５の発明によると、切断された鋼板は、平面状に維持された状態で、径方向に積層される。これにより、鋼板の残留歪を抑制してヨーク部を形成することができる。その結果、残留歪を取除くための焼鈍などを行なう必要がなく、製造工程を簡略化して生産性を向上することができるステータの製造方法を提供することができる。
【００１７】
第６の発明に係るステータの製造方法においては、第１または２の発明の構成に加え、ヨーク部およびティース部には、方向性電磁鋼板が用いられている。ティース部形成ステップは、方向性電磁鋼板の磁化容易方向が径方向に向くように、ティース部を形成するステップを含む。切断ステップは、方向性電磁鋼板を切断するステップを含む。積層ステップは、方向性電磁鋼板の磁化容易方向が、周方向に向くように、切断された方向性電磁鋼板を積層するステップを含む。ヨーク部形成ステップは、積層された方向性電磁鋼板同士を固定してヨーク部を形成するステップを含む。
【００１８】
第６の発明によると、ヨーク部およびティース部には、方向性電磁鋼板が用いられ、ティース部は、方向性電磁鋼板の磁化容易方向が径方向に向くように形成される。ヨーク部は、切断された方向性電磁鋼板の磁化容易方向が径方向に向くように積層され、積層された方向性電磁鋼板同士が固定されることで形成される。これにより、ティース部の磁化容易方向が径方向を向き、ヨーク部の磁化容易方向が周方向を向く。ステータでは、ティース部には径方向に磁束が流れ、ヨーク部には周方向に磁束が流れる。そのため、磁束の流れる方向と磁化容易方向が一致し、磁束の通過による鉄損を抑制することができる。
【００１９】
第７の発明に係るステータの製造方法においては、第１または２の発明の構成に加え、ステータの製造方法により製造されるステータを有する回転電機には、ティース部よりも半径方向の内側に、ロータが設けられる。ティース部は、鋼板から打抜かれたティース形状体を軸方向に積層して形成される。ロータは、鋼板から打抜かれたロータ形状体を軸方向に積層して形成される。ティース部形成ステップは、鋼板からティース形状体を打抜くとともに、ティース形状体よりも半径方向の内側からロータ形状体を打抜くステップと、打抜かれたティース形状体を軸方向に積層するステップとを含む。
【００２０】
第７の発明によると、鋼板からティース形状体が打抜かれるとともに、ティース形状体よりも半径方向の内側からロータ形状体が打抜かれる。ティース部は、鋼板から打抜かれたティース形状体を軸方向に積層して形成される。ロータは、鋼板から打抜かれたロータ形状体を軸方向に積層して形成される。これにより、同一の鋼板からティース部を構成するティース形状体と、ロータを構成するロータ形状体とを打抜くことができる。その結果、歩留りをよくし、かつ製造工程を簡略化して生産性を向上することができる。
【００２１】
第８の発明に係る回転電機は、第１ないし７のいずれかに記載のステータの製造方法により製造されたステータを有する。
【００２２】
第８の発明によると、回転電機は、第１ないし７のいずれかに記載のステータの製造方法により製造されたステータを有する。これにより、鉄損を抑制でき、かつ歩留りがよいステータの製造方法により製造されたステータを有する回転電機を提供することができる。また、製造工程を簡略化し、生産性を向上できるステータの製造方法により製造されたステータを有する回転電機を提供することができる。
【００２３】
第９の発明に係るステータの製造装置は、径方向外方に突出した複数の櫛歯を外周部に有するティース部と、ティース部よりも径方向の外側に位置するヨーク部とを分割して製造する。この製造装置は、ティース部を形成するためのティース部形成手段と、ティース部の隣合う櫛歯の間隔と対応した長さで、帯状の鋼板を切断するための切断手段と、切断された鋼板を径方向に積層するための積層手段と、積層された鋼板同士を固定してヨーク部を形成するためのヨーク部形成手段と、ティース部とヨーク部とを接合するための接合手段とを含む。
【００２４】
第９の発明によると、ティース部形成手段により、ティース部が形成される。切断手段により、ティース部の隣合う櫛歯間の間隔と対応した長さで、帯状の鋼板が切断され、積層手段により、切断された鋼板が径方向に積層される。ヨーク部形成手段により、積層された鋼板同士が固定されてヨーク部が形成され、接合手段により、ティース部とヨーク部とが接合される。ティース部の隣合う櫛歯間の間隔と対応した長さで、帯状の鋼板が切断されて、切断された鋼板が径方向に積層してヨーク部が形成されるので、ヨーク部の形状は、櫛歯の外形と対応した形状を有する。これにより、ヨーク部は、櫛歯の外端部に対して周方向から当接する連結部が形成された状態で形成される。この連結部において、ヨーク部が櫛歯に周方向から当接することにより、櫛歯を径方向に流れてきた磁束が、ヨーク部の周方向に流入しやすくなる。そのため、櫛歯を径方向に流れてきた磁束が、ヨーク部の内周面に垂直に流入することが抑制され、渦電流損が抑制される。また、ヨーク部は、連結部を有した状態で形成されるため、連結部を形成するために、別途ヨーク部の一部を切除する必要がない。その結果、鉄損を抑制でき、かつ歩留りがよいステータの製造方法を提供することができる。
【００２５】
第１０の発明に係るステータの製造装置は、第９の発明の構成に加え、ティース部の櫛歯の位置および外形と対応した外形を有する治具をさらに含む。積層手段は、治具の外形に沿って、切断された鋼板を径方向に積層するための手段を含む。
【００２６】
第１０の発明によると、ティース部の櫛歯の位置および外形と対応した外形を有する治具が準備され、この治具の外形に沿って、切断された鋼板が径方向に積層される。これにより、治具を用いて精度よく鋼板を積層し、整った形状のヨーク部を形成できる。
【００２７】
第１１の発明に係るステータの製造装置においては、第９または１０の発明の構成に加え、ステータの製造装置は、積層された鋼板を保持するための保持手段をさらに含む。
【００２８】
第１１の発明によると、保持手段により、積層された鋼板が保持される。これにより、積層された鋼板がばらけることを防止することができる。
【００２９】
第１２の発明に係るステータの製造装置においては、第９または１０の発明の構成に加え、ヨーク部形成手段は、積層された鋼板の間に接着材を介在させる手段と、接着材が介在した鋼板を加熱して、鋼板同士を接着するための接着手段とを含む。接合手段は、接着手段における加熱によりヨーク部が膨張している状態で、ヨーク部にティース部を挿入して接合するための手段を含む。
【００３０】
第１２の発明によると、積層された鋼板の間に接着材が介在させられ、接着手段により、接着材が介在した鋼板が加熱され、鋼板同士が接着される。この接着手段における加熱によりヨーク部が膨張している状態で、ヨーク部にティース部が挿入されて接合される。これにより、鋼板同士を接着して固定することができるとともに、接着の際の加熱による余熱を利用して、ヨーク部とティース部とを焼き嵌めすることができる。その結果、ヨーク部とティース部とを密着させて強固に接合し、ヨーク部とティース部との間を通過する磁束の損失を抑制することができる。
【００３１】
第１３の発明に係るステータの製造装置においては、第９または１０の発明の構成に加え、積層手段は、切断された鋼板を、平面状に維持させた状態で、径方向に積層するための手段を含む。
【００３２】
第１３の発明によると、切断された鋼板は、平面状に維持された状態で、径方向に積層される。これにより、鋼板の残留歪を抑制してヨーク部を形成することができる。その結果、残留歪を取除くための焼鈍などを行なう必要がなく、製造工程を簡略化して生産性を向上することができるステータの製造装置を提供することができる。
【００３３】
第１４の発明に係るステータの製造装置においては、第９または１０の発明の構成に加え、ヨーク部およびティース部には、方向性電磁鋼板が用いられる。ティース部形成手段は、方向性電磁鋼板の磁化容易方向が径方向に向くように、ティース部を形成するための手段を含む。切断手段は、方向性電磁鋼板を切断するための手段を含む。積層手段は、方向性電磁鋼板の磁化容易方向が、周方向に向くように、切断された方向性電磁鋼板を積層するための手段を含む。ヨーク部形成手段は、積層された方向性電磁鋼板同士を固定してヨーク部を形成するための手段を含む。
【００３４】
第１４の発明によると、ヨーク部およびティース部には、方向性電磁鋼板が用いられ、ティース部は、方向性電磁鋼板の磁化容易方向が径方向に向くように形成される。ヨーク部は、切断された方向性電磁鋼板の磁化容易方向が径方向に向くように積層され、積層された方向性電磁鋼板同士が固定されることで形成される。これにより、ティース部の磁化容易方向が径方向を向き、ヨーク部の磁化容易方向が周方向を向く。ステータでは、ティース部には径方向に磁束が流れ、ヨーク部には周方向に磁束が流れる。そのため、磁束の流れる方向と磁化容易方向が一致し、磁束の通過による鉄損を抑制することができる。
【００３５】
第１５の発明に係るステータの製造装置においては、第９または１０の発明の構成に加え、ステータの製造装置により製造されるステータの有する回転電機には、ティース部よりも半径方向の内側に、ロータが設けられる。ティース部は、鋼板から打抜かれたティース形状体を軸方向に積層して形成される。ロータは、鋼板から打抜かれたロータ形状体を軸方向に積層して形成される。ティース部形成手段は、鋼板からティース形状体を打抜くとともに、ティース形状体よりも半径方向の内側からロータ形状体を打抜く手段と、打抜かれたティース形状体を軸方向に積層するための手段とを含む。
【００３６】
第１５の発明によると、鋼板からティース形状体が打抜かれるとともに、ティース形状体よりも半径方向の内側からロータ形状体が打抜かれる。ティース部は、鋼板から打抜かれたティース形状体を軸方向に積層して形成される。ロータは、鋼板から打抜かれたロータ形状体を軸方向に積層して形成される。これにより、同一の鋼板からティース部を構成するティース形状体と、ロータを構成するロータ形状体とを打抜くことができる。その結果、歩留りをよくし、かつ製造工程を簡略化して生産性を向上することができる。
【発明を実施するための最良の形態】
【００３７】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３８】
＜第１の実施の形態＞
図１を参照して、本発明の第１の実施の形態に係るステータについて説明する。ステータ１００は、環状のヨーク部１１０と、ヨーク部１１０に挿入されたティース部１２０と、ティース部１２０に巻着されたコイル１３０とを含む。ステータ１００の径方向で内方には回転自在に固定されたロータ１４０が設けられている。これらの部材により、回転電機が構成される。
【００３９】
ヨーク部１１０は、ティース部１２０の外端部に周方向から当接する連結部１１２を含む。連結部１１２は、予め定められた間隔を空けて、複数形成されている。ヨーク部１１０は、磁化容易方向が周方向を向くように、方向性電磁鋼板を径方向に積層して形成されている。
【００４０】
ティース部１２０は、径方向を向き、外側に向かって先細り形状の櫛歯１２２を含む。櫛歯１２２は、連結部１１２と同じ数だけ設けられている。櫛歯１２２の外端部と連結部１１２とが当接する。各櫛歯１２２にコイル１３０が巻着されている。ティース部１２０は、磁化容易方向が径方向を向くように、方向性電磁鋼板を軸方向に積層して形成されている。
【００４１】
図２（Ａ）を参照して、本実施の形態に係るステータ１００のヨーク部１１０の製造方法について説明する。ヨーク部１１０は、帯状の方向性電磁鋼板１１４を用いて形成される。方向性電磁鋼板１１４は、その磁化容易方向と同じ方向に、送りローラ２００により送られ、切断機２０２により切断される。方向性電磁鋼板１１４は隣合う櫛歯１２２の間隔と同一の長さで切断され、切断された方向性電磁鋼板１１４が径方向に積層される。
【００４２】
具体的には、ティース部１２０の櫛歯１２２の位置および外形と対応した外形を有する治具２０３に沿うように、方向性電磁鋼板１１４が切断され、積層される。このとき、方向性電磁鋼板１１４の磁化容易方向が周方向を向くように、方向性電磁鋼板１１４が積層される。
【００４３】
治具２０３は、櫛歯１２２の径方向の外端部と同一の形状を有する複数の突起部２０４を含む。方向性電磁鋼板１１４は隣合う突起部２０４の間隔と同一の長さで切断される。切断された方向性電磁鋼板１１４は、隣合う突起部２０４の間のスロット２０５内で、径方向に積層される。このとき、本実施の形態において、方向性電磁鋼板１１４は円弧状に積層される。なお、治具２０３の外形の沿うように、方向性電磁鋼板１１４を、ローラなどにより予め定められた曲率で歪ませてから積層するようにしてもよい。
【００４４】
１つのスロット２０５が方向性電磁鋼板１１４により埋まると、治具２０３が回転させられ、隣のスロット２０５に方向性電磁鋼板１１４が積層される。積層された方向性電磁鋼板１１４は、治具２０３の回転により、治具２０３から落下しないように、ベルト２０６により保持される。
【００４５】
全てのスロット２０５に方向性電磁鋼板１１４が積層されると、方向性電磁鋼板１１４を切断せずに、積層された方向性電磁鋼板１１４の外周に、方向性電磁鋼板１１４を巻き付け、積層された方向性電磁鋼板１１４を外方から固定する。予め定められた長さだけ、方向性電磁鋼板１１４が巻き付けられると、方向性電磁鋼板１１４が切断され、その端部が、スポット溶接などにより溶接される。
【００４６】
方向性電磁鋼板１１４の端部が溶接されると、積層された方向性電磁鋼板１１４は治具２０３ごとベルト２０６から取外される。方向性電磁鋼板１１４は、円弧状に積層されているため、方向性電磁鋼板１１４には歪が残留している。歪が残留していると、磁気抵抗が増える。この残留歪を取除き、磁気抵抗の増加を抑制するため、方向性電磁鋼板１１４が焼鈍される。焼鈍後、積層された方向性電磁鋼板１１４は、たとえば熱硬化性の接着剤で満たされた容器に入れられる。これにより、積層された方向性電磁鋼板１１４の隙間に接着材が浸透し、方向性電磁鋼板１１４の間に接着材が介在させられる（接着材が含浸させられる）。この状態で、積層された方向性電磁鋼板１１４は治具２０３ごと加熱され、方向性電磁鋼板１１４同士が接着されて、ヨーク部１１０が形成される。ヨーク部１１０の形成後（方向性電磁鋼板１１４同士の接着後）、治具２０３が取外される。
【００４７】
治具２０３が取外されると、ヨーク部１１０の内周部には、図２（Ｂ）に示すように、突起部２０４と対応した位置で、方向性電磁鋼板１１４の切断面が、ヨーク部１１０の周方向に露出する。これが、連結部１１２となる。連結部１１２は、櫛歯１２２の形状と対応するようにＶ字状に形成される。
【００４８】
図３（Ａ）ないし（Ｄ）を参照して、本実施の形態に係るステータ１００のティース部１２０の製造方法について説明する。図３（Ａ）に示すように、ティース部１２０は、帯状の方向性電磁鋼板１２４を用いて形成される。方向性電磁鋼板１２４の磁化容易方向と同じ方向に、送りローラ３００により送られ、プレス機３０２により、方向性電磁鋼板１２４からティース形状体１２６が打抜かれる。なお、以下の説明において、ティース形状体とは、ティース部を形成する際、プレス機により打抜かれた後であって、ティース部が形成される前の帯状の部材を意味する。
【００４９】
ティース形状体１２６は、図３（Ｂ）に示すように、方向性電磁鋼板１２４の幅方向に伸び、櫛歯１２２が方向性電磁鋼板１２４の磁化容易方向（方向性電磁鋼板１２４の送り方向）を向くように打抜かれる。
【００５０】
図３（Ｃ）に示すように、方向性電磁鋼板１２４から打抜かれたティース形状体１２６が積層される。図３（Ｄ）に示すように、積層されたティース形状体１２６が、巻取り治具３０４に巻き取られ、端部同士が溶接されてティース部１２０が形成される。このとき、櫛歯１２２が径方向を向くため、ティース部１２０（櫛歯１２２）の磁化容易方向が径方向を向く。
【００５１】
ティース部１２０が形成されると、形成されたティース部１２０の各櫛歯１２２にコイル１３０が巻着される。コイル１３０が巻着されたティース部１２０は、加熱されて接着された直後のヨーク部１１０に挿入され、接合される。すなわち、ヨーク部１１０が、接着時の加熱により膨張している間に、ティース部１２０がヨーク部１１０に挿入され、接合される。これにより、ヨーク部１１０とティース部１２０とが接着時の加熱を利用して焼き嵌めされる。
【００５２】
ヨーク部１１０とティース部１２０とを接合すると、図４（Ａ）に示すように、連結部１１２によりヨーク部１１０は、櫛歯１２２の径方向の外端部に、周方向から当接する。そのため、櫛歯１２２を径方向に通過する磁束が、ヨーク部１１０の周方向に流れ易い。ヨーク部１１０の周方向に磁束が流れると、図４（Ｂ）に示すように、渦電流が発生する。この渦電流は、方向性電磁鋼板の断面内を流れるが、方向性電磁鋼板は、薄い薄板であるため、渦電流が流れることができる面積が小さく、渦電流に対する電気抵抗が高い。そのため、渦電流が流れ難く、渦電流損（鉄損）の増加が抑制される。
【００５３】
図５ないし図７を参照して、本実施の形態に係るステータ１００の製造工程について説明する。
【００５４】
図５は、本実施の形態に係るステータ１００のヨーク部１１０の製造工程を示すフローチャートである。ステップ（以下、ステップをＳと略す）１０にて、治具２０３が準備される。Ｓ１１にて、方向性電磁鋼板１１４が、ティース部１２０の隣合う櫛歯１２２（治具２０３の隣合う突起部２０４）の間隔と対応した長さで切断される。Ｓ１２にて、切断された方向性電磁鋼板１１４が、治具２０３の外形に沿って径方向に積層され、積層された方向性電磁鋼板１１４の外周を取囲むように、方向性電磁鋼板１１４が巻き取られる。Ｓ２０にて、巻き取られた方向性電磁鋼板の端部が溶接される。
【００５５】
Ｓ３０にて、方向性電磁鋼板１１４の残留歪を取除くため、積層された方向性電磁鋼板１１４が焼鈍される。Ｓ４０にて、積層された方向性電磁鋼板の間に熱可塑性の接着材を介在させるように、接着材が含浸させられる。Ｓ５０にて、方向性電磁鋼板１１４が加熱され、方向性電磁鋼板１１４同士が接着されて、ヨーク部１１０が形成される。Ｓ６０にてヨーク部１１０から治具が取外される。
【００５６】
図６は、本実施の形態に係るステータ１００のティース部１２０の製造工程およびコイル１３０の巻着工程を示すフローチャートである。Ｓ１００にて、方向性電磁鋼板１２４がプレスされ、ティース形状体１２６が打抜かれる。Ｓ１１０にて、打抜かれたティース形状体１２６が積層される。Ｓ１１１にて、積層されたティース形状体１２６が巻取り治具３０４に巻き取られ、端部同士が溶接されたティース部１２０が形成される。
【００５７】
Ｓ１２０にて、ティース部１２０の各櫛歯１２２にインシュレータ（図示せず）が挿入される。Ｓ１３０にて、インシュレータの上から各櫛歯１２２にコイル１３０が巻着される。本実施の形態においては、３本のノズルにより、３つの櫛歯１２２に同時にコイル１３０が巻着される。Ｓ１４０にて、隣合うコイル１３０の間に相間板（図示せず）がセットされる。
【００５８】
図７は、ヨーク部１１０とティース部１２０との組み付け工程を示すフローチャートである。Ｓ２００にて、接着時の加熱により膨張した状態のヨーク部１１０に、コイル１３０が巻着されたティース部１２０が挿入され、ヨーク部１１０とティース部１２０が接合される。これにより、方向性電磁鋼板１１４同士の接着時の加熱による余熱を利用して、ヨーク部１１０とティース部１２０とが焼き嵌めされる。
【００５９】
Ｓ２１０にて、コイル１３０から、Ｕ相、Ｖ相およびＷ相の３相の導線を外部に引出すための結線処理と、それらの中性点を結合するための結線処理を行なう。Ｓ２２０にて、コイル１３０から引出された導線の端部に、端子を結合する。Ｓ２３０にて、樹脂モールドおよびワニスのいずれかにより、ステータ１００全体を固め、ヨーク部１１０、ティース部１２０およびコイル１３０を固定する。
【００６０】
以上のように、本実施の形態に係るステータのヨーク部は、ティース部の隣合う櫛歯の間の間隔と同じ長さで切断された方向性電磁鋼板を、ティース部の外形と対応した外形を有する治具に沿って径方向に積層して形成される。これにより、別途、ヨーク部の内周部を切除するなどしなくても、方向性電磁鋼板を積層した段階で、ヨーク部の内周部には、周方向に方向性電磁鋼板の断面が露出した連結部が形成される。この連結部によりヨーク部は、櫛歯の径方向の外端部に、周方向から当接する。そのため、櫛歯を径方向に通過する磁束が、ヨーク部の周方向に流れ易い。ヨーク部の周方向に磁束が流れると、渦電流が発生する。この渦電流は、方向性電磁鋼板の断面内を流れるが、方向性電磁鋼板は、薄板であるため、渦電流に対する電気抵抗が高い。その結果、渦電流が流れ難く、渦電流損（鉄損）の増加を抑制し、歩留りをよくすることができる。
【００６１】
また、ヨーク部の磁化容易方向が周方向を向き、ティース部の磁化容易方向が径方向を向いている。コイルに電流（たとえば三相交流電流）を流すと、磁束はティース部を径方向に、ヨーク部を周方向に通過する。本実施の形態においては、ヨーク部の磁化容易方向が周方向を向き、ティース部の磁化容易方向が径方向を向いている。これにより、磁束が流れる方向と、磁化容易方向が一致し、磁気抵抗を抑制することができる。
【００６２】
＜第２の実施の形態＞
図８および図９を参照して、本発明の第２の実施の形態に係るステータについて説明する。前述の第１の実施の形態におけるステータの外形は円弧状であったが、本実施の形態においては、多角形状である。本実施の形態においてヨーク部は焼鈍されない。その他のハードウェア構成、処理フローについては前述の第１の実施の形態と同じである。それらについての機能も同じである。したがって、それらについての詳細な説明はここでは繰返さない。
【００６３】
図８に示すように、ステータ１００は、櫛歯１２２の径方向の外端部を頂点とする多角形状の外形を有する。このステータ１００のヨーク部１１６において、方向性電磁鋼板は、歪まないように、方向性電磁鋼板を平面状に維持させた状態で、方向性電磁鋼板が径方向に積層されている。方向性電磁鋼板が積層されると、径方向で最外方に位置する方向性電磁鋼板の端部同士が溶接されて、積層された方向性電磁鋼板がばらけないように固定される。
【００６４】
図９を参照して、本実施の形態に係るステータのヨーク部の製造工程について説明する。前述の第１の実施の形態におけるステータのヨーク部の製造工程と同一の工程には、同一の符号を付してある。したがって、それらについての説明はここでは繰返さない。
【００６５】
Ｓ１３にて、切断された方向性電磁鋼板が、平面状に維持された状態で、径方向に積層される。Ｓ２２にて、径方向で最外方に位置する方向性電磁鋼板の端部同士が溶接される。
【００６６】
以上のように、本実施の形態に係るステータは、方向性電磁鋼板が歪まないように、方向性電磁鋼板を平面状に維持させた状態で、方向性電磁鋼板が径方向に積層されて形成される。これにより、積層後の方向性電磁鋼板に残留する歪が抑制される。その結果、残留歪みを取除く必要がないため、方向性電磁鋼板の積層後の焼鈍工程を省略し、製造工程を簡略化することができる。
【００６７】
＜第３の実施の形態＞
図１０を参照して、本発明の第３の実施の形態について説明する。前述の第１の実施の形態においては、方向性電磁鋼板の幅方向に伸びたティース部形状体を打抜き、ティース形状体を積層して巻き取って、ティース部を形成していたが、本実施の形態においては、無方向性電磁鋼板の長手方向に伸びたティース形状体を連続して打抜き、ティース部形状体をらせん状に巻き回して積層している。その他のハードウェア構成、処理フローについては前述の第１の実施の形態と同じである。それらについての機能も同じである。したがって、それらについての詳細な説明はここでは繰返さない。
【００６８】
図１０に示すように、ティース形状体１２７は、無方向性電磁鋼板１２８から打抜かれる。ティース形状体１２７は、無方向性電磁鋼板１２８の長手方向に伸びている。１つの無方向性電磁鋼板から、２つのティース形状体１２７が打抜かれる。打抜かれたティース形状体１２７は、巻取り治具３０６により、らせん状に巻き回されて積層され、ティース部１２０が形成される。
【００６９】
このようにしてティース部１２０を形成しても、前述の第１の実施の形態と同様の効果を得ることができる。
【００７０】
＜第４の実施の形態＞
図１１を参照して、本発明の第４の実施の形態について説明する。前述の第１の実施の形態においては、方向性電磁鋼板からティース形状体のみを打抜いていたが、本実施の形態においては、無方向性電磁鋼板からティース部形状体とロータ形状体とを打抜く。なお、以下の説明において、ロータ形状体とは、ロータを形成する際、プレス機により打抜かれた後であって、ロータが形成される前の環状の部材を意味する。
【００７１】
その他のハードウェア構成、処理フローについては前述の第１の実施の形態と同じである。それらについての機能も同じである。したがって、それらについての詳細な説明はここでは繰返さない。
【００７２】
図１１に示すように、ティース形状体１２９とロータ形状体１４２とが、一枚の無方向性電磁鋼板１２８から打抜かれる。ティース形状体１２９は環状に打抜かれ、径方向の内方に円形の孔を有する。このティース形状体１２９を軸方向に積層して、ティース部１２０が形成される。
【００７３】
ロータ形状体１４２はティース形状体１２９の径方向で内側に位置する無方向性電磁鋼板１２８から打抜かれる。このロータ形状体１４２を軸方向に積層して、ロータ１４０が形成される。
【００７４】
以上のように、本実施の形態においては、ティース形状体の径方向で内側に位置する無方向性電磁鋼板から、ロータ形状体が打抜かれる。ティース部１２０の内側にはロータ１４０が設けられるため、ティース形状体を環状に打抜く際には、ティース形状体の径方向の内側を打抜き、孔を設けなければならないが、本実施の形態においては、ティース形状体の径方向で内方に位置する無方向性電磁鋼板、すなわち、ティース形状体にとって不要な方向性電磁鋼板からロータ形状体を打抜く。これにより、歩留りを良くすることができる。また、ティース形状体を打抜くとともにロータ形状体を打抜くことができるため、製造工程を簡略化し、生産性を向上することができる。
【００７５】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】本発明の第１の実施の形態に係るステータを有するモータを示す断面図である。
【図２】本発明の第１の実施の形態に係るステータのヨーク部の製造方法を示す図である。
【図３】本発明の第１の実施の形態に係るステータのティース部の製造方法を示す図である。
【図４】本発明の第１の実施の形態に係るステータのヨーク部とティース部とを通過する磁束を示す図である。
【図５】本発明の第１の実施の形態に係るステータの製造工程を示すフローチャート（その１）である。
【図６】本発明の第１の実施の形態に係るステータの製造工程を示すフローチャート（その２）である。
【図７】本発明の第１の実施の形態に係るステータの製造工程を示すフローチャート（その３）である。
【図８】本発明の第２の実施の形態に係るステータを示す断面図である。
【図９】本発明の第２の実施の形態に係るステータの製造工程を示すフローチャートである。
【図１０】本発明の第３の実施の形態に係るステータのティース部を構成するティース部形状体を示す図である。
【図１１】本発明の第４の実施の形態に係るステータのティース部を構成するティース部形状体を示す図である。
【図１２】従来のステータのヨーク部とティース部とを通過する磁束を示す図である。
【符号の説明】
【００７７】
１００  ステータ、１１０  ヨーク部、１１２  連結部、１１４，１２４  方向性電磁鋼板、１２０  ティース部、１２２  櫛歯、１２６，１２７，１２９  ティース形状体、１２８  無方向性電磁鋼板、１３０  コイル、１４０  ロータ、１４２  ロータ形状体、２００  ローラ、２０２  切断機、２０３  治具、２０４  突起部、２０５  スロット、２０６  ベルト、３００  ローラ、３０２  プレス機、３０４，３０６  巻取り治具。
【図１】
2005184925.tif 000003
【図２】
2005184925.tif 000004
【図３】
2005184925.tif 000005
【図４】
2005184925.tif 000006
【図５】
2005184925.tif 000007
【図６】
2005184925.tif 000008
【図７】
2005184925.tif 000009
【図８】
2005184925.tif 000010
【図９】
2005184925.tif 000011
【図１０】
2005184925.tif 000012
【図１１】
2005184925.tif 000013
【図１２】
2005184925.tif 000014